(57)【要約】【課題】電気ひげそり刃を使用した後で安全カミソリを使うというような面倒な作業が不要でありながら、十分な深そりを行って希望の爽快感を得ることができ、安全カミソリを別途用意しておく必要を無くす。【解決手段】ボデー（１０）の上端に往復式ひげそり刃（１４）を有する電気シェーバーにおいて、ひげそり刃（１４）と平行な安全カミソリ（１６）を備え、安全カミソリ（１６）のひげそり方向側に往復式ひげそり刃（１４）を臨ませた。【選択図】図４
2011019789.tif 000002
【特許請求の範囲】
【請求項１】
ボデーの上端に往復式ひげそり刃を有する電気シェーバーにおいて、
前記往復式ひげそり刃と平行な安全カミソリを備え、前記安全カミソリのひげそり方向側に前記往復式ひげそり刃を臨ませたことを特徴とする電気シェーバー。
【請求項２】
往復式ひげそり刃のひげそり面と、安全カミソリのひげそり面とが共に皮膚に接触するように配置した請求項１の電気シェーバー。
【請求項３】
往復式ひげそり刃をボデーの正面側に、安全カミソリをその後方に前記往復式ひげそり刃より高く配置した請求項１の電気シェーバー。
【請求項４】
安全カミソリのひげそり面が後上方に向かって傾斜し、往復式ひげそり刃はこの安全カミソリの前下方に配置されている請求項１の電気シェーバー。
【請求項５】
安全カミソリをボデー上端に向かって上下動可能かつ固定可能にした請求項１の電気シェーバー。
【請求項６】
安全カミソリは、往復式ひげそり刃のみによるひげそりを許容する最下降位置と、安全カミソリのみによるひげそりを許容する最上昇位置との間で上下動する請求項５の電気シェーバー。
【請求項７】
往復式ひげそり刃は、粗そり刃である請求項１の電気シェーバー。
【発明の詳細な説明】
【技術分野】
【０００１】
この発明は、往復式電気かみそりのひげそり刃と安全カミソリとを一体化あるいは一体的にした電気シェーバーに関するものである。
【背景技術】
【０００２】
従来より種々の電気シェーバーが公知である。しかし従来のものは一般に深そりが出来なかったり、深そりが不十分であったため、使用者によってはひげそり後の爽快感が不十分で、使用感に満足できない、という問題があった。また特許文献１には、安全カミソリ（湿式レザー刃）と往復式電気ひげそり刃（トリマー）とを共通の細長いハンドルに設けたもの（グルーミング器具）が開示されている。
【先行技術文献】
【特許文献】
【０００３】
【特許文献１】特表２００７−５３０２１５
【０００４】
この特許文献１に示されたものは、安全カミソリと往復式電気かみそりとの一方を選択的に使用するものであり、電気ひげそり刃を単独で使用する使用位置と安全カミソリを単独で使用するように電気ひげそり刃を収容位置に移動可能にしたものである。このため皮膚の毛を剃る場所により安全カミソリと電気ひげそり刃とを使い分けるものであった。このため電気ひげそり刃による髭剃り後の爽快感が不足する時には、ハンドルを持ち替えてさらに安全カミソリで深剃りを行い希望の爽快感を得る必要があった。
【発明の概要】
【発明が解決しようとする課題】
【０００５】
このように電気ひげそり刃の使用後にさらに安全カミソリを使うのでは、ハンドルを持ち替えたりシェービングクリームを付けたりと作業が面倒であり、時間もかかってしまうために、忙しい時には適当でなかった。
【０００６】
この発明はこのような事情に鑑みなされたものであり、電気ひげそり刃を使用した後で安全カミソリを使うというような面倒な作業が不要でありながら、十分な深そりを行って希望の爽快感を得ることができ、安全カミソリを別途用意しておく必要もない電気シェーバーを提供することを目的とするものである。
【課題を解決するための手段】
【０００７】
この発明によればこの目的は、ボデーの上端に往復式ひげそり刃を有する電気シェーバーにおいて、前記ひげそり刃と平行な安全カミソリを備え、前記安全カミソリのひげそり方向側に前記往復式ひげそり刃を臨ませたことを特徴とする電気シェーバー、により達成される。
【発明の効果】
【０００８】
安全カミソリはカミソリの刃に直交する方向（ひげそり方向）に移動させて髭を剃るものであるが、この安全カミソリのひげそり方向側に（すなわち安全カミソリの移動方向側に）往復式ひげそり刃をこの安全カミソリと平行に配置したので、ひげそり時にボデーを安全カミソリのひげそり方向に移動させれば、往復式ひげそり刃で髭を剃った後に安全カミソリが同じ場所に当たって再び髭を剃ることになる。このため同じ場所を、往復式ひげそり刃と安全カミソリとで二段階に剃ることになり、深そりが出来る。従って使用者の爽快感が増大する。
【０００９】
この時安全カミソリは電気シェーバーに付いているので、別途安全カミソリを使う必要が無く、作業が増えず、面倒でなく、ひげそり時間を短縮できる。このため忙しい時に便利である。
【図面の簡単な説明】
【００１０】
【図１】本発明の一実施例で安全カミソリを最下降位置にした状態を示す図であり、（Ａ）は斜視図、（Ｂ）はその正面図、（Ｃ）はその背面図、（Ｄ）はその右側面図である。
【図２】同じく安全カミソリを中間位置にした状態を示す図であり、（Ａ）は斜視図、（Ｂ）はその正面図、（Ｃ）はその背面図、（Ｄ）はその右側面図である。
【図３】同じく安全カミソリを最上昇位置にした状態を示す図であり、（Ａ）は斜視図、（Ｂ）はその正面図、（Ｃ）はその背面図、（Ｄ）はその右側面図である。
【図４】同じく断面図であって、（Ａ）はその側断面図、（Ｂ）はボデー中央で断面した中央正面断面図である。
【発明を実施するための形態】
【００１１】
往復式ひげそり刃のひげそり面と、安全カミソリのひげそり面とが共に、あるいは同時に皮膚に接触するようにすれば、例えばこれらの面をほぼ共通の面（平面または曲面を含む）上に配置すれば、往復式ひげそり刃によるひげそりの直後に安全カミソリによるひげそりを連続して行うことができ、能率がよい（請求項２）。この場合、往復式ひげそりの刃と安全カミソリの刃は接近させておけば、両方の刃を一体的になものとして、全体を１つの刃と考えて、使うことができ、一層使いやすくなる。
【００１２】
往復式ひげそり刃をボデーの正面側（例えば電源スイッチを設けた面側）に配置し、安全カミソリをその後方に前記往復式ひげそり刃より高く配置するのがよい（請求項３）。また安全カミソリのひげそり面が後上方に向かって傾斜させておくのがよい（請求項４）。このようにすれば、ボデーの上部を皮膚に当て、ボデーの正面側を皮膚に斜めに向けて上から下へ移動させることにより、往復式ひげそり刃と安全カミソリを共に同時に皮膚に密着させながら移動できるので、操作性がよい。
【００１３】
安全カミソリはボデーの上方に向かって上下動可能かつ固定可能にしても良い（請求項５）。この場合に、安全カミソリを最上昇位置に出して安全カミソリだけで髭を剃ったり、安全カミソリを最下降位置に収納して往復式ひげそり刃だけで髭を剃ったり、好みに応じたそりかたが選択できる（請求項６）。この時安全カミソリを中間位置にすれば、往復式ひげそり刃と安全カミソリとを同時に使って（両者の併用によって）本発明によるひげそりモードが選択できる。
【００１４】
往復式ひげそり刃は、粗そり刃とすることができる（請求項７）。しかし仕上げ刃であってもよい。さらに正面側から往復式の粗そり刃、仕上げ刃、安全カミソリの順に配列してもよい。また１つの安全かみそりを両側から往復式ひげそり刃で挟むものであってもよく、この場合はボデー正面側の往復式ひげそり刃と中間の安全かみそりとが本願発明によるひげそりモードを形成する。
【実施例１】
【００１５】
図１〜４において符号１０はボデーであり、下部が略テーパー状に小径となり、上部が幅方向に拡大した平面視略長方形となっている。このボデー１０内には図４に示すように、電池１０Ａ、電気モータ１０Ｂ、オシレータ１０Ｃなどが防水されて収容されている。ボデー１０の正面には電源スイッチ１２が取付けられている。オシレータ１０Ｃはモータ１０Ｂの回転軸に固定したカム体１０Ｄにより左右に振動する。
【００１６】
ボデー１０の上端には、正面側に往復式ひげそり刃１４が、背面側に安全カミソリ１６がそれぞれ幅方向に平行に配設されている。往復式ひげそり刃１４の外刃１４Ａは側面視半円形に湾曲した薄板に多数の小孔を形成したもので、側面視で山型となるように上縁を合わせた形状の外刃ケース１４Ｂの上縁に沿って保持されている（図４）。これらの外刃１４Ａの内側には左右に往復動する内刃１４Ｃが収容されている。内刃１４Ｃは、ボデー１０に内蔵するモータ１０Ｂおよびオシレータ１０Ｃにより左右に往復駆動される。
【００１７】
往復式ひげそり刃１４は公知の仕上げ刃であるが粗そり刃でもよい。粗そり刃は構造が簡単で部品点数が少ないからであり、本発明では安全カミソリ１６も仕上がり刃の役割を持っているから、この往復式ひげそり刃１４を仕上がり刃にする場合は一層きれいな仕上がりを得ることができる。
【００１８】
安全カミソリ１６はボデー１０の上部後面に上下動可能かつ固定可能に取付けられている。すなわちボデー１０の後面上部には上下にスライド可能な可動板１８が取付けられ、安全カミソリ１６の背面（下面）がこの可動板１８の上部に前後に揺動可能に取付けられている。なおこの可動板１８の後面にはロックボタン２０が設けられ、可動板１８を上下動する時はこのロックボタン２０を押圧しながら上下動し、このロックボタン２０の押圧を解除すると可動板１８はその位置にロックされる。
【００１９】
安全カミソリ１６は複数（通常２〜５枚）のカミソリ刃１６Ａをカミソリホルダー１６Ｂに平行に取付けたもので、いわゆる２枚刃〜５枚刃などと呼ばれるものである。カミソリ刃１６Ａはカミソリホルダー１６Ｂごと移動板１８に対して交換可能である。ここにカミソリホルダー１６Ｂは、安全カミソリ１６のひげそり面すなわち皮膚に接触する面Ａ（図２，３）が後上方に向かって傾斜している。
【００２０】
安全カミソリ１６は最下降位置に固定した図１の状態では、往復式ひげそり刃１４よりも下方に沈み込んでいる。このためこの状態では図１の（Ｄ）に示すように顔の皮膚Ｂに当てた時に往復式ひげそり刃１４だけが皮膚Ｂに接触する。この時には往復式ひげそり刃１４のみで髭を剃ることになる。
【００２１】
安全カミソリ１６を最上昇位置に固定した図３の状態では、安全カミソリ１６は往復式ひげそり刃１４より大きく上方に突出する。このためこの状態では図３の（Ｄ）に示すように顔の皮膚Ｂに当てた時に安全カミソリ１６だけが皮膚Ｂに接触する。この時には安全カミソリ１６のみで髭を剃ることになる。
【００２２】
安全カミソリ１６を図２に示す中間位置に固定した状態では、往復式ひげそり刃１４と、安全カミソリ１６のひげそり面Ａとは共に皮膚Ｂに接触する。従ってこの時には図２の（Ｄ）に示すように、往復式ひげそり刃１４とひげそり面Ａを同時に皮膚Ｂに当てつつ下方へ移動させれば、両方の刃１４、１６によりひげそりが行われる。すなわち往復式ひげそり刃１４で一度剃った後で、安全カミソリ刃１６により再度仕上げそりが行われる。
【符号の説明】
【００２３】
１０  ボデー
１２  電源スイッチ
１４  往復式ひげそり刃
１６  安全カミソリ
１８  可動板
Ａ  安全カミソリのひげそり面
Ｂ  皮膚
【図１】
2011019789.tif 000003
【図２】
2011019789.tif 000004
【図３】
2011019789.tif 000005
【図４】
2011019789.tif 000006